(57)【要約】【課題】  従来の防草シートは、この防草シートの本来の特性を発揮し、物理的に、遮断する構造であり、かつ屈光性と屈地性に逆らう構造でない。従って、防草シートの幅を長くすることや、又は他のブロック等の構造物で遮断する必要があり、施工費が嵩むこと、又は施工が厄介であること等の問題を抱えている。【構成】  構造物、構築物等の物品の外周面に設けられる防草構造は、外周面と一体となる固定部と、固定部の下方より上方、及び／又は、上方より下方に向かって延設され、かつ固定部に対して、鋭角となる上向き、及び／又は、下向きの防草誘導部を設ける防草材とし、防草材の上向き、及び／又は、下向きの防草誘導部が舗装、コンクリート、又は地中に埋設されることを特徴とした構造物、構築物等の物品の外周面に設けられる防草構造である。従って、簡易な防草構造を提供できる。【選択図】      図１−１
2010144348.tif 000002
【特許請求の範囲】
【請求項１】
構造物、構築物等の物品の外周面に設けられる防草構造であって、
この防草構造は、前記外周面と一体となる固定部と、この固定部の下方より上方、及び／又は、上方より下方に向かって延設され、かつこの固定部に対して、鋭角となる上向き、及び／又は、下向きの防草誘導部を設ける防草材とし、この防草材の上向き、及び／又は、下向きの防草誘導部が舗装、コンクリート、又は地中に埋設されることを特徴とした構造物、構築物等の物品の外周面に設けられる防草構造。
【請求項２】
請求項１の構造物、構築物等の物品の外周面に設けられる防草構造であって、
前記鋭角となる上向き、及び／又は、下向きの防草誘導部は、この固定部の上方、及び／又は、下方終端より舗装、コンクリート、又は地中の上方又は下方に向かって延設され、かつこの固定部に対して、鋭角であることを特徴とした構造物、構築物等の物品の外周面に設けられる防草構造。
【請求項３】
請求項１の構造物、構築物等の物品の外周面に設けられる防草構造であって、
前記固定部は、外周面に設けられる挾持手段、固定手段、又は差込み手段、或いは板状、型板等の成形体で形成される鋭角となる上向き、及び／又は、下向きの防草誘導部を備えた壁面、及び前記外周面に充填される接着性のよい手段とすることを特徴とした構造物、構築物等の物品の外周面に設けられる防草構造。
【請求項４】
請求項１の構造物、構築物等の物品の外周面に設けられる防草構造であって、
前記防草構造は、構造物、構築物等の物品の外周面に複数設けられることを特徴とした構造物、構築物等の物品の外周面に設けられる防草構造。
【発明の詳細な説明】
【技術分野】
【０００１】
本発明は、構造物、構築物等の物品の外周面に設けられるアタッチメント式（挾持手段、固定手段、又は差込み手段）の防草構造や、又は現場形成方式（板状、型板、形、その他の板材等の成形体で構成される鋭角となる上向き、及び／又は、下向きの防草誘導部を備えた壁面、及び前記外周面に充填される接着性の良い手段）の防草構造に関する。
【背景技術】
【０００２】
本出願人は、特許第３６９８２６５号の「防草等を意図した構造物の構造と防草を意図した構造物と構造物の防草等の工法」を始めとして、多数の特許、並びに出願をしている。その基本原理は、構造物と、この構造物自体の壁面に凹凸を設けて、植物の自然な性質、即ち、屈光性と屈地性に逆らう防草誘導部を設けることで、この構造物等の目地から雑草の発生を自然に止め、防草効果を図っている。しかし、基本は、構造物等の壁面に凹凸を設ける構造である。従って、更なる工夫をすることが要望される状況となり、また、使い勝手の良い防草効果を達成できる発明が要望される状況である。
【０００３】
上記に鑑み、本発明は、出願に際して、関連発明を調査したので、以下にその概要を説明する。
【０００４】
文献１）は、特開平１１−１１７２５１号の「舗装端部界面の防草構造」である。この発明は、防草シートの一方端を、コンクリート製品の下にもぐりこませるととともに、この他端をコンクリート製品等の面に係着させる構造とし、望ましくは、この他端の他方をコンクリート製品等の面に係着させる構造に逃げ幅を設ける構造とする。この発明は、防草シートによる防草効果と、防草シートに、地面の沈下による変形の際の有圧力を軽減し、防草シートの引抜け防止、引切れ防止を図りつつ、路盤転圧時の、ローラーによる防草シートの破損を防ぐこと等を意図する。
【０００５】
文献２）は、特開２００１−１５９１１３の「舗装路面の防草構造」である。この発明は、防草シートの一端を、コンクリート二次製品の路面材側を向いた面に連結し、また、その他端を基礎材の上へ延伸させ、その上面を路面材で覆う構成であって、この防草シートの下面の土中にある雑草の繁殖防止を図る構造である。この発明は、縁堰ブロックや側溝ブロック等の隙間から雑草が生えないように防止する舗装路面の構造を提供することを意図する。
【０００６】
文献３）は、特開２００１−１７２９０６の「道路舗装構造」である。この発明は、Ｌ形側溝の側壁に、載置面を備えた切欠、嵌合溝を形成し、載置面と略面一状に路盤工を敷設するとともに、連続シート部材を、載置面と路盤工との接合部の直上部と、この両者をまたがるように敷設し、連続シート部材の上面を含んで舗装材によりＬ形側溝の周囲を舗装させた道路舗装構造である。この発明は、コンクリート舗装等の道路舗装構造物周りの雑草の繁殖防止と、道路の耐久性を向上させること等を意図する。
【０００７】
また文献４）は、特開２００８−１６３６８９の「防草構造および防草方法」である。この発明は、歩車道境界ブロックと道路構成部の間に形成される隙間に侵入する雑草の根を、枯渇状態にするために、この歩車道境界ブロックの外周面に、補助部材を添接するとともに、この補助部材と外周面の間に中空部形成溝（中空部）を形成する構造であり、この中空部形成溝は、道路の流れ方向に縦設されることを特徴とする。そして、この中空部形成溝を設けることで、中空部形成溝にある根への水の供給を断ち、もって、前記枯渇を達成し、かつ防草効果を図る構成である。
【０００８】
【特許文献１】特開平１１−１１７２５１号
【特許文献２】特開２００１−１５９１１３
【特許文献３】特開２００１−１７２９０６
【特許文献４】特開２００８−１６３６８９
【発明の開示】
【発明が解決しようとする課題】
【０００９】
前記文献１）〜文献３）では、防草シートの本来の特性を発揮し、物理的に、雑草の繁殖（生育）を遮断する構造であり、屈光性と屈地性に逆らう構造ではない。従って、防草シートの幅を長くすることや、又は他のブロック等の構造物で遮断する必要があり、施工費が嵩むこと、又は施工が厄介であること、等の問題を抱えている。尚、文献４）では、中空部形成溝を利用し、根の枯渇を図る構造であるが、根は流れ方向（縦設方向）に成長することから、枯渇するには、日時を要し、雑草の伸長を有効に防止するには、充分とは考えられない。また、この中空部形成溝は地中に存在する及び／又は太陽の照射がないこと、また水が溜まり易いこと等により、水の枯渇は、あまり望めず、もつて、期待する程の根の枯渇はあり得ないと考えられる。そして、また、この文献４）は、屈光性と屈地性に逆らう構造ではない。さらに、この文献４）は、中空部形成溝が水路となり、基層（４０１ａ）、中空部形成片（７ｅ）等の崩壊及び／又は貯水の危険性が考えられる。
【００１０】
上記に鑑み、本発明は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供することを意図する。殊に、板状、型板等の成形体と、モルタル、空練り等の接着性の良い手段を利用し、現場サイドで、要領よく、かつ容易・確実に、屈光性と屈地性に逆らう防草誘導路が形成できる構造物、構築物等の物品の外周面に設けられる防草構造を提供する。さらに、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供する。尚、また本発明は、屈光性と屈地性に逆らう防草誘導路ができる構造物、構築物等の物品の外周面に設けられる防草構造、或いは、接着性の良い手段により、構造物、構築物等の物品の外周面に設けられる防草構造を提供する。また、水路となることもなく、例えば、崩壊及び／又は貯水の危険性は皆無である。
【課題を解決するための手段】
【００１１】
請求項１の発明は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供する。また、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供する。さらに、従来の問題点である地中の水路（クラックを含む）となることもなく、例えば、前述の崩壊及び／又は貯水の危険性を略皆無とすることを意図する。
【００１２】
請求項１は、構造物、構築物等の物品の外周面に設けられる防草構造であって、
この防草構造は、前記外周面と一体となる固定部と、この固定部の下方より上方、及び／又は、上方より下方に向かって延設され、かつこの固定部に対して、鋭角となる上向き、及び／又は、下向きの防草誘導部を設ける防草材とし、この防草材の上向き、及び／又は、下向きの防草誘導部が舗装、コンクリート、又は地中に埋設されることを特徴とした構造物、構築物等の物品の外周面に設けられる防草構造である。
【００１３】
請求項２の発明は、請求項１の目的を達成すること、この目的を達成するに最適な、鋭角となる上向き、及び／又は、下向きの防草誘導部を提供することを意図する。
【００１４】
請求項２は、請求項１の構造物、構築物等の物品の外周面に設けられる防草構造であって、
前記鋭角となる上向き、及び／又は、下向きの防草誘導部は、この固定部の上方、及び／又は、下方終端より舗装、コンクリート、又は地中の上方又は下方に向かって延設され、かつこの固定部に対して、鋭角であることを特徴とした構造物、構築物等の物品の外周面に設けられる防草構造である。
【００１５】
請求項３の発明は、請求項１の目的を達成すること、また、板状、型板等の成形体や、モルタル、空練り等の接着性の良い手段を利用し、現場サイドで、要領よく、かつ容易・確実に、屈光性と屈地性に逆らう防草誘導路が形成できる構造物、構築物等の物品の外周面に設けられる防草構造を提供する。
【００１６】
請求項３は、請求項１の構造物、構築物等の物品の外周面に設けられる防草構造であって、
前記固定部は、外周面に設けられる挾持手段、固定手段、又は差込み手段、或いは板状、型板等の成形体で形成される鋭角となる上向き、及び／又は、下向きの防草誘導部を備えた壁面、及び前記外周面に充填される接着性の良い手段とすることを特徴とした構造物、構築物等の物品の外周面に設けられる防草構造である。
【００１７】
請求項４の発明は、請求項１の目的を達成すること、この目的を達成するに最適な、鋭角となる上向き、及び／又は、下向きの防草誘導部が形成できる物品の外周面に設けられる防草構造と、この物品の外周面に設けられる防草構造の工法を提供することを意図する。
【００１８】
請求項４は、請求項１の構造物、構築物等の物品の外周面に設けられる防草構造であって、
前記防草構造は、構造物、構築物等の物品の外周面に複数設けられることを特徴とした構造物、構築物等の物品の外周面に設けられる防草構造、又は物品の外周面に設けられる防草構造の工法である。
【発明の効果】
【００１９】
請求項１の発明は、構造物、構築物等の物品の外周面に設けられる防草構造であって、
防草構造は、外周面と一体となる固定部と、固定部の下方より上方、及び／又は、上方より下方に向かって延設され、かつ固定部に対して、鋭角となる上向き、及び／又は、下向きの防草誘導部を設ける防草材とし、防草材の上向き、及び／又は、下向きの防草誘導部が舗装、コンクリート、又は地中に埋設されることを特徴とした構造物、構築物等の物品の外周面に設けられる防草構造である。
【００２０】
従って、請求項１は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供できる特徴がある。また、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供できる実益がある。そして、また、従来の問題点である地中の水路（クラックを含む）となることもなく、例えば、崩壊及び／又は貯水の危険性を略皆無となり実用に即した防草構造を提供できる。
【００２１】
請求項２の発明は、請求項１の構造物、構築物等の物品の外周面に設けられる防草構造であって、
鋭角となる上向き、及び／又は、下向きの防草誘導部は、固定部の上方、及び／又は、下方終端より舗装、コンクリート、又は地中の上方又は下方に向かって延設され、かつ固定部に対して、鋭角であることを特徴とした構造物、構築物等の物品の外周面に設けられる防草構造である。
【００２２】
従って、請求項２は、請求項１の目的を達成できること、この目的を達成するに最適な、鋭角となる上向き、及び／又は、下向きの防草誘導部を提供できること等の特徴がある。
【００２３】
請求項３の発明は、請求項１の構造物、構築物等の物品の外周面に設けられる防草構造であって、
固定部は、外周面に設けられる挾持手段、固定手段、又は差込み手段、或いは板状、型板等の成形体で形成される鋭角となる上向き、及び／又は、下向きの防草誘導部を備えた壁面、及び外周面に充填される接着性の良い手段とすることを特徴とした構造物、構築物等の物品の外周面に設けられる防草構造である。
【００２４】
従って、請求項３は、請求項１の目的を達成できること、また、板状、型板等の成形体や、モルタル、空練り等の接着性の良い手段を利用し、現場サイドで、要領よく、かつ容易・確実に、屈光性と屈地性に逆らう防草誘導路が形成できる構造物、構築物等の物品の外周面に設けられる防草構造を提供できること等の特徴がある。
【００２５】
請求項４の発明は、請求項１の構造物、構築物等の物品の外周面に設けられる防草構造であって、
防草構造は、構造物、構築物等の物品の外周面に複数設けられることを特徴とした構造物、構築物等の物品の外周面に設けられる防草構造、又は物品の外周面に設けられる防草構造の工法である。
【００２６】
従って、請求項４は、請求項１の目的を達成できること、この目的を達成するに最適な、鋭角となる上向き、及び／又は、下向きの防草誘導部と、この物品の外周面に設けられる防草構造の工法を提供できること等の特徴がある。
【発明を実施するための最良の形態】
【００２７】
本発明の一例を説明する。
【００２８】
図面において、図１−１〜図１−６は、防草材の固定部を、構造物、構築物等の物品（ブロックＷとする）に挾持手段を介して設け、鋭角となる上向き、又は下向きの防草誘導路を形成する各例を示している。また、図２−１〜図２−６は、防草材の固定部を、ブロックＷに差込み手段を介して設け、鋭角となる上向き、又は下向きの防草誘導路を形成する各例を示している。さらに、図３−１、図３−２は、防草材の固定部を、ブロックＷに接着、又は固定手段を介して設け、鋭角となる上向き、又は下向きの防草誘導路を形成する各例を示している。さらに、図４−１〜図４−４は、防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の工程順を示している。図５−１〜図５−６は、ブロックＷをモルタル、又は空練り、若しくは半練り等（接着性の良い手段）を介して設け、断面が鋭角形状となる上向き、又は下向きの防草誘導路を形成する各例を示している。図６−１〜図６−３は、舗装又はインターロッキングブロックを利用した鋭角となる上向き、又は下向きの防草誘導路を形成する各例を示している。図７は、従来のブロック構造物を示している。
【００２９】
図１−１〜図１−６は、第一実施例を示しており、定形性で、かつ地中で腐蝕しない防草板材、防草鋼材等でなる防草材１は、ブロックＷに取付ける一つ、又は複数の固定部１００、１００、１００等（１００とする）と、この固定部１００の各端（上下端、又は中間部、或いは分岐部）よりに連設、又は取付ける鋭角でなる一つ、又は複数の上向きの防草誘導部１０１ａ、或いは一つ、又は複数の下向きの防草誘導部１０１ｂ等で構成されており（他の実施例も同じ）、この防草材１の固定部１００を、挾持手段（固定挾持、緊締挾持、添接挾持等を含む）で、ブロックＷの外周面Ｗａ、Ｗｂ・・・・・・・・・・Ｗｎに設けることで、この上向きの防草誘導部１０１ａ又は下向きの防草誘導部１０１ｂと、道路を構成する舗装で、雑草の屈光性と屈地性に逆らう一つ、又は複数の上向きの防草誘導路２ａ又は下向きの防草誘導路２ｂを形成する（道路の連続方向であり、図面で、手前から、奥面方向である。以下、同じ）。そして、この上向き、又は下向きの防草誘導路２ａ、２ｂは、雑草の屈光性と屈地性に逆らう特性を備えていることから、例えば、上向き、及び／又は、下向きの防草誘導部１０１ａ、１０１ｂと、後述する舗装６が密着した状態、又は、例えば、経年的、物理的な状況で、この上向き、及び／又は、下向きの防草誘導部１０１ａ、１０１ｂと舗装６の間に、隙間が形成された状態、等でも防草効果が図れる。そして、この第一実施例を説明すると、図１−１と、図１−５は、ブロックＷの底側外周面Ｗａと、左右側外周面Ｗｃ、Ｗｂの一部（以下、省略）を、固定部１００で覆い、この左右側外周面Ｗｃ、Ｗｂに、下向きの防草誘導部１０１ｂをそれぞれ設ける。図１−２−１、図１−３は、ブロックＷの対峙する両端を、それぞれ、その形状にあったような固定部１００で覆い、この左右側外周面Ｗｃ、Ｗｂに、下向きの防草誘導部１０１ｂをそれぞれ設ける。また、図１−４は、ブロックＷの全外周面Ｗａ〜Ｗｄを、固定部１００で覆い、この左右側外周面Ｗｃ、Ｗｂに、上向き、及び／又は、下向きの防草誘導部１０１ａ、１０１ｂ（片方が、側面視して略倒Ｖ形）をそれぞれ設ける。さらに、図１−６は、図１−４に準ずる。これらの第一実施例では、原則として、ブロックＷを埋設前に行なうことが望ましい構造であり、現場を始めとして、倉庫、又は販売時に準備できるので、汎用性と、取扱の容易化に寄与できる。また、全体として、搬送時に有益である。尚、図１−２−２は、上向きの防草誘導部１０１ａ及び／又は下向きの防草誘導部１０１ｂを介して、上向きの防草誘導路２ａ及び／又は下向きの防草誘導路２ｂを設けた一例を示している。そして、この下向きの防草誘導部１０１ｂを介して、前述の如く、雑草の成長を防止すること、及び／又は上向きの防草誘導部１０１ａを介して、雑草が成長し、上面１０１ａ−１に至ることにより、屈光性等の効果があり、舗装６に、例えば、垂直のクラックが発生しない限り、防草が図れる（その他の上向きの防草誘導部１０１ａ及び／又は下向きの防草誘導部１０１ｂも同様である）。そして、本発明の防草効果を発揮するには、舗装６にクラックが発生しないことが条件である。尚、防草材１の固定部１００が、ブロックＷに嵌合する構造では、この嵌合箇所に、種子があったても、又は草が生えても、上向き、又は下向きの防草誘導路２ａ、２ｂは、雑草（図示しない）の屈光性と屈地性に逆らう特性を備えていることから、最終的には防草効果が達成できる。尚、図示しないが、上向きの防草誘導部１０１ａを介して、上向きの防草誘導路２ａを設けた一例を示している。そして、この上向きの防草誘導部１０１ａを介して、雑草が成長し、上面１０１ａ−１に至ることにより、屈光性等の効果があり、舗装６に、例えば、垂直のクラックが発生しない限り防草効果が図れる。そして、また、このブロックＷ等の構造物では、路盤５との直接的なクラックは問題が無いが（上方に防草材１が存在するので）、その密着した状態が確保されることが望ましい他の例も同じ）。尚、防草材１とブロックＷとの関係において、例えば、図１−１において、雑草が、固定部１００に沿って、上向きに成長しても、この雑草は、下向きの防草誘導部１０１ｂに沿っていくが、屈光性と屈地性に逆らう誘導路となり、その先端部に到らず枯れるか、先端部に到っても、この先端部の内側で枯れる。また、図１−２−１において、前述の如く、下向きの防草誘導部１０１ｂの少なくとも、先端部までに枯れる。また、仮に、ブロックＷと固定部１００の間を延設した雑草は、その垂直面１０２が、屈光性と屈地性に逆らう誘導路となり、この垂直面１０２の先端部に到らず枯れるか、先端部に到っても、この先端部の内側で枯れる。以下、他の各実施例においても同じ。そして、また、従来の問題点である地中の水路となることもなく、例えば、崩壊及び／又は貯水の危険性を略皆無となり実用に即した防草構造（工法）を提供できる（他の実施例も同じ）。
【００３０】
図２−１〜図２−６は、第二実施例を示しており、図中３は例えば路盤を、５は例えば繰り石（路盤）を、また、６は例えば舗装を、それぞれ示している。防草材１は、ブロックＷに取付ける一つ、又は複数の固定部１００と、この固定部１００に連設、又は取付ける鋭角でなる一つ、又は複数の上向き、及び／又は、下向きの防草誘導部１０１ａ、１０１ｂで構成されており、この防草材１の固定部１００を、差込み手段（挿入、嵌合、固定具、又は圧入等を含む）で、ブロックＷの外周面Ｗａ、Ｗｂ・・・・・・・・・・Ｗｎに設けることで、この上向き、及び／又は、下向きの防草誘導部１０１ａ、１０１ｂと、道路を構成する路盤（３、５）、又は舗装６で、雑草の屈光性と屈地性に逆らう一つ、又は複数の上向き、又は下向きの防草誘導路２ａ、２ｂを形成する。この第二実施例を説明すると、図２−１は、ブロックＷの上側外周面Ｗｄに、折曲げた固定部１００を差込み、この上側外周面Ｗｄと、右側外周面Ｗｂの一部（以下、省略）を経て（上側外周面Ｗｄと、右側外周面Ｗｂを覆い）、下向きの防草誘導部１０１ｂを設ける。そして、この図２−２は、図２−１の略逆パターンである。図２−３は、左側外周面Ｗｃに添接され、上側外周面Ｗｄを跨ぐように右側外周面Ｗｂに至る取付けであって、この右側外周面Ｗｂより、下向きの防草誘導部１０１ｂをそれぞれ設ける。図２−４は、図２−３に準ずるが、右側外周面Ｗｂに一文字形に差込み、この右側外周面Ｗｂを経て、下向きの防草誘導部１０１ｂを設ける。図２−５は、図２−４（右側外周面Ｗｂに差込みと、同じ差込み特徴である。）と、図１−２−２（前述の如く、上向きの防草誘導部１０１ａを介して、上向きの防草誘導路２ａを設けた一例と、この一例と同じ特徴である。）に準ずるが、右側外周面Ｗｂに傾斜して差込み、この右側外周面Ｗｂに上向きの防草誘導部１０１ａ及び／又は下向きの防草誘導部１０１ｂを設ける。即ち、ト形の防草材１であり、簡単で効果があり、確実、かつ合理的な差込み工法、かつアタッチメント式の部材である（他の実施例もこれに準ずる）。そして、原則として、図２−６は、図２−５（傾斜して差込み）に準ずるが、屈曲差込み式で、山形の防草材１が、二重の山部を備えた構造であり、一層の防草効果が期待できる。そして、図示しないが、三重〜多重の山部を備えた構造も可能であり、更なる防草効果が期待できる。その他は、第一実施例に準ずるが、この第二実施例では、防草材１とブロックＷの一体化と、安定した施工が図れる。
【００３１】
図３−１、図３−２は、第三実施例を示しており、防草材１は、ブロックＷに取付ける一つ、又は複数の固定部１００と、この固定部１００に連設、又は取付ける鋭角でなる一つ、又は複数の下向きの防草誘導部１０１ｂで構成されており、この防草材１の固定部１００を、添接手段（添接、差込み、付設、固定、又は圧入等を含む）で、ブロックＷの外周面Ｗａ、Ｗｂ・・・・・・・・・・Ｗｎに設けることで、この下向きの防草誘導部１０１ｂと、道路を構成する路盤（３、５）、又は舗装６で、雑草の屈光性と屈地性に逆らう一つ、又は複数の下向きの防草誘導路２ｂを形成する。この第三実施例を説明すると、図３−１は、ブロックＷの左側外周面Ｗｃ及び／又は右側外周面Ｗｂに、それぞれの固定部１００を添接し、下向きの防草誘導部１０１ｂを設ける。この例は、極めて簡易で、合理性がある。この例は、施工時に設置することが簡便である。また、設置の位置関係は、適宜変更可能である（他の例も同様である）。また、図３−２は、ブロックＷの左側外周面Ｗｃ／又は右側外周面Ｗｂに固定部１００を添接し、図示しないが、必要により固定部１００を適宜部位に差込み、下向きの防草誘導部１０１ｂをそれぞれ設ける。この例は、極めて簡易で、合理性がある。この例は、施工時に設置することが簡便である。その他は、第一・第二実施例に準ずるが、この第三実施例では、防草材１とブロックＷに適宜、かつ任意に取付け得ること、また、安定した施工が図れる。尚、図示しないが、この第三実施例の防草材１を、固定部１００と上向きの防草誘導部１０１ａとで形成し、上向きの防草誘導路２ａを形成することも可能である。
【００３２】
次に、図４−１〜図４−４は、第四実施例を示しており、護岸の法面等に、防草材１及び／又は鋭角でなる一つ、又は複数の上向き、及び／又は、下向きの防草誘導部１０１ａ、１０１ｂを、現場において、成形体１０（一例であるが、簡便である）で構築する構造であり、例えば、ブロックＷの右側外周面Ｗｂ（周辺）に設ける構造では、図４−１の如く、成形体１０を設置し、路盤（３、５）に、防草材１及び／又は鋭角でなる一つ、又は複数の上向き、及び／又は、下向きの防草誘導部１０１ａ、１０１ｂが設置可能な路面１１を形成する。そして、図４−２の如く、この路面１１に、防草材１及び／又は上向き、及び／又は、下向きの防草誘導部１０１ａ、１０１ｂを設置する。その後、図４−３の如く、モルタル、又は空練り、若しくは半練り、又は砂セメントを練ったもの等の接着性の良い手段１３（接着性の良い手段１３）を利用し、路盤（３、５）及び／又は路面１１に形成された空間部位１２（隙間）を塞ぐか、及び／又は、転圧を掛ける。この転圧により、ブロックＷと接着性の良い手段１３の隙間発生回避と、また、防草材１及び／又は上向き、及び／又は、下向きの防草誘導部１０１ａ、１０１ｂの連繋強化と、上向き、又は下向きの防草誘導路２ａ、２ｂの隙間発生回避すること、並びに舗装６との一体化を図るための施工をする。以上の手順で、道路の連続方向に、雑草の屈光性と屈地性に逆らう上向き、又は下向きの防草誘導路２ａ、２ｂが形成される。そして、この例では、現場において、任意に施工できること、また、防草材１の形状が限定されないこと、さらには、施工が容易であること、さらにまた、既設の構造物、河川の法面用のブロックＷにも施工できること、等の利点がある。尚、この例では、成形体１０の例では、簡便かつ確実に、上向き、及び／又は、下向きの防草誘導部１０１ａ、１０１ｂが設置可能な路面１１が形成される。また、図示しないが、防草構造は、現場での施工を利用して、構築することも可能である。
そして、図５−１〜図５−６は、第五実施例を示しており、接着性の良い手段１３により、図５−１〜図５−６に示した断面が、鋭角形状となる上向き、又は下向きの防草誘導路２ａ、２ｂを形成する。また、図５−３では、モルタル、又は空練り、若しくは半練り等と舗装６（ブロックＷ）間に、板状、型板等の成形体１０を使用して、上向き、及び／又は、下向きの防草誘導部１０１ａ、１０１ｂの傾斜形状の板材１６を設けることにより、施工時にモルタル又は空練り若しくは半練り等に傾斜をつくる必要がなくなり、現場作業を簡便化できる。また、場合により、モルタル又は空練り若しくは半練り等や路盤（３、５）と、板材１６間に隙間ができても、防草の目的が達成でき、有益である。図５−５、図５−６は、基礎コンクリート１７を介して、モルタル又は空練り若しくは半練り等と路盤（３、５）を施工する一例である。この基礎コンクリート１７は、図示の例では、路盤（３、５）及び構造物、構築物等の物品を安定させるため、接着性の良い手段１３が良いが、図示しないセメント、又は砂セメント等でも可能であり、限定するものではない（他の実施例も同じ）。
図６−１〜図６−３は、第六実施例を示しており、路盤（３、５）、又は路盤（３、５）の上面に砂７により、成形体１０を利用し、鋭角となる上向き、又は下向きの防草誘導路２ａ、２ｂを形成し、この施工手段１３を介して、舗装６又はインターロッキングブロック８を施工している。防草誘導路を設けて、手段１３を実施することにより、ブロックＷ（舗装６又はインターロッキングブロック８）の目地から雑草の発生を自然に止めることが可能である、また、図６−１は、成形体１０を介して、砂７に、一個、又は複数の上向き、又は下向きの防草誘導路２ａ、２ｂを形成し、その上にインターロッキングブロック８の施工規定を遵守して施工すること、又はそのインターロッキングブロック８の効果を発揮することであり、規定に沿った施工が略完全に達成できる。そして、図６−２と、図６−３は、成形体１０を介して、砕石３に、一個、又は複数の上向き、又は下向きの防草誘導路２ａ、２ｂを形成し、その上に舗装６を施工する構造である。この施工は、現場において、簡易かつ確実に、各実施例と同様に、防草効果が発揮できる。
【００３３】
以上で説明した各実施例に限定されず、図示しないが、前述した、それぞれの例を複合的、及び／又は、並列的等に採用し、一層の防草効果と、更なる施工の汎用化、標準化、並びに容易化、利便性を確保することも可能である。また、前述した防草構造を既設の構造物、又は構築物に採用できることは勿論であり、その際の特徴は、前述の書く実施例に準ずる。また、前記上向きの防草誘導部１０１ａ及び下向きの防草誘導部１０１ｂを、連続して設け、上向きの防草誘導路２ａ及び下向きの防草誘導路２ｂを、連設した構造では、前述の如く、屈光性等の効果が増幅され、略完全な雑草の成長を防止できること、及び防草効果が図れること、等の特徴がある。
【００３４】
尚、図７は、従来のブロック構造物を示した模式図である。
【図面の簡単な説明】
【００３５】
【図１−１】防草材の固定部を、構造物等に挾持手段を介して設け、鋭角となる上向き、又は下向きの防草誘導路を形成する一例の模式図
【図１−２−１】防草材の固定部を、構造物等に挾持手段を介して設け、鋭角となる上向き、又は下向きの防草誘導路を形成する他の一例の模式図
【図１−２−２】防草材の固定部を、構造物等に挾持手段を介して設け、鋭角となる上向き、又は下向きの防草誘導路を形成する他の一例の模式図
【図１−３】防草材の固定部を、構造物等に挾持手段を介して設け、鋭角となる上向き、又は下向きの防草誘導路を形成する他の一例の模式図
【図１−４】防草材の固定部を、構造物等に挾持手段を介して設け、鋭角となる上向き、又は下向きの防草誘導路を形成する他の一例の模式図
【図１−５】防草材の固定部を、構造物等に挾持手段を介して設け、鋭角となる上向き、又は下向きの防草誘導路を形成する他の一例の模式図
【図１−６】防草材の固定部を、構造物等に挾持手段を介して設け、鋭角となる上向き、又は下向きの防草誘導路を形成する他の一例の模式図
【図２−１】防草材の固定部を、ブロックＷに差込み手段を介して設け、鋭角となる上向き、又は下向きの防草誘導路を形成する一例の模式図
【図２−２】防草材の固定部を、ブロックＷに差込み手段を介して設け、鋭角となる上向き、又は下向きの防草誘導路を形成する他の一例の模式図
【図２−３】防草材の固定部を、ブロックＷに差込み手段を介して設け、鋭角となる上向き、又は下向きの防草誘導路を形成する他の一例の模式図
【図２−４】防草材の固定部を、ブロックＷに差込み手段を介して設け、鋭角となる上向き、又は下向きの防草誘導路を形成する他の一例の模式図
【図２−５】防草材の固定部を、ブロックＷに差込み手段を介して設け、鋭角となる上向き、又は下向きの防草誘導路を形成する他の一例の模式図
【図２−６】防草材の固定部を、ブロックＷに差込み手段を介して設け、鋭角となる上向き、又は下向きの防草誘導路を形成する他の一例の模式図
【図３−１】防草材の固定部を、ブロックＷに接着、又は固定手段を介して設け、鋭角となる上向き、又は下向きの防草誘導路を形成する一例の模式図
【図３−２】防草材の固定部を、ブロックＷに接着、又は固定手段を介して設け、鋭角となる上向き、又は下向きの防草誘導路を形成する他の一例の模式図
【図４−１】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の一番目の工程を示した模式図
【図４−２】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の二番目の工程を示した模式図
【図４−３】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の三番目の工程を示した模式図
【図４−４】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の四番目の工程を示した模式図
【図５−１】ブロックＷをモルタル、又は空練り、若しくは半練り等（接着性の良い手段）を介して設け、断面が鋭角形状となる上向き、又は下向きの防草誘導路を形成する一例の模式図
【図５−２】ブロックＷをモルタル、又は空練り、若しくは半練り等（接着性の良い手段）を介して設け、断面が鋭角形状となる上向き、又は下向きの防草誘導路を形成する他の一例の模式図
【図５−３】ブロックＷをモルタル、又は空練り、若しくは半練り等（接着性の良い手段）を介して設け、断面が鋭角形状となる上向き、又は下向きの防草誘導路を形成する他の一例の模式図
【図５−４】ブロックＷをモルタル、又は空練り、若しくは半練り等（接着性の良い手段）を介して設け、断面が鋭角形状となる上向き、又は下向きの防草誘導路を形成する他の一例の模式図
【図５−５】ブロックＷをモルタル、又は空練り、若しくは半練り等（接着性の良い手段）を介して設け、断面が鋭角形状となる上向き、又は下向きの防草誘導路を形成する他の一例の模式図
【図５−６】ブロックＷをモルタル、又は空練り、若しくは半練り等（接着性の良い手段）を介して設け、断面が鋭角形状となる上向き、又は下向きの防草誘導路を形成する他の一例の模式図
【図６−１】舗装又はインターロッキングブロックを利用した鋭角となる上向き、又は下向きの防草誘導路を形成する一例の模式図
【図６−２】舗装又はインターロッキングブロックを利用した鋭角となる上向き、又は下向きの防草誘導路を形成する他の一例の模式図
【図６−３】舗装又はインターロッキングブロックを利用した鋭角となる上向き、又は下向きの防草誘導路を形成する他の一例の模式図
【図７】従来のブロック構造物を示した模式図
【符号の説明】
【００３６】
１            防草材
１００        固定部
１０１ａ      上向きの防草誘導部
１０１ａ−１  上面
１０１ｂ      下向きの防草誘導部
１０２        垂直面
２ａ          上向きの防草誘導路
２ｂ          下向きの防草誘導路
３            砕石（路盤）
５            繰り石（路盤）
６            舗装
７            砂
８            インターロッキングブロック
１０          成形体
１１          路面
１２          空間部位
１３          接着性の良い手段
１６          板材
１７          基礎コンクリート
Ｗ            ブロック
Ｗａ          底側外周面
Ｗｂ          右側外周面
Ｗｃ          左側外周面
Ｗｄ          上側外周面
Ｗｎ          外周面
【図１−１】
2010144348.tif 000003
【図１−２−１】
2010144348.tif 000004
【図１−２−２】
2010144348.tif 000005
【図１−３】
2010144348.tif 000006
【図１−４】
2010144348.tif 000007
【図１−５】
2010144348.tif 000008
【図１−６】
2010144348.tif 000009
【図２−１】
2010144348.tif 000010
【図２−２】
2010144348.tif 000011
【図２−３】
2010144348.tif 000012
【図２−４】
2010144348.tif 000013
【図２−５】
2010144348.tif 000014
【図２−６】
2010144348.tif 000015
【図３−１】
2010144348.tif 000016
【図３−２】
2010144348.tif 000017
【図４−１】
2010144348.tif 000018
【図４−２】
2010144348.tif 000019
【図４−３】
2010144348.tif 000020
【図４−４】
2010144348.tif 000021
【図５−１】
2010144348.tif 000022
【図５−２】
2010144348.tif 000023
【図５−３】
2010144348.tif 000024
【図５−４】
2010144348.tif 000025
【図５−５】
2010144348.tif 000026
【図５−６】
2010144348.tif 000027
【図６−１】
2010144348.tif 000028
【図６−２】
2010144348.tif 000029
【図６−３】
2010144348.tif 000030
【図７】
2010144348.tif 000031
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
構造物、構築物の物品の外周面の三面以上に設けられる固定部と、この固定部の端の下方より上方、及び／又は、上方より下方に向かって延設され、かつこの端となる固定部、又は物品の外周面とで鋭角となる上向き、及び／又は、下向きの防草誘導部とでなる防草材を、道路を構成する路盤、舗装、コンクリート、又は地中に埋設することで、この物品の外周面に設けられる雑草の屈光性と屈地性に逆らう防草誘導路を形成する防草構造であって、
この屈光性と屈地性に逆らう防草誘導路を、前記防草材の防草誘導部と、前記道路を構成する路盤、舗装、コンクリート、又は地中とで構成することを特徴とした構造物、構築物の物品の外周面に設けられる雑草の屈光性と屈地性に逆らう防草誘導路を形成する防草構造。
【請求項２】
請求項１の構造物、構築物の物品の外周面に設けられる雑草の屈光性と屈地性に逆らう防草誘導路を形成する防草構造であって、
前記屈光性と屈地性に逆らう防草誘導路は、前記複数個の防草材の防草誘導部と、前記道路を構成する路盤、舗装、コンクリート、又は地中とで構成することを特徴とした構造物、構築物の物品の外周面に設けられる雑草の屈光性と屈地性に逆らう防草誘導路を形成する防草構造。
【手続補正２】
【補正対象書類名】明細書
【補正対象項目名】全文
【補正方法】変更
【補正の内容】
【発明の詳細な説明】
【技術分野】
【０００１】
本発明は、構造物、構築物等の物品の外周面に設けられるアタッチメント式（挾持手段、固定手段、又は差込み手段）の防草構造や、又は現場形成方式（板状、型板、形、その他の板材等の成形体で構成される鋭角となる上向き、及び／又は、下向きの防草誘導部を備えた壁面、及び前記外周面に充填される接着性の良い手段）の防草構造に関する。
【背景技術】
【０００２】
本出願人は、特許第３６９８２６５号の「防草等を意図した構造物の構造と防草を意図した構造物と構造物の防草等の工法」を始めとして、多数の特許、並びに出願をしている。その基本原理は、構造物と、この構造物自体の壁面に凹凸を設けて、植物の自然な性質、即ち、屈光性と屈地性に逆らう防草誘導部を設けることで、この構造物等の目地から雑草の発生を自然に止め、防草効果を図っている。しかし、基本は、構造物等の壁面に凹凸を設ける構造である。従って、更なる工夫をすることが要望される状況となり、また、使い勝手の良い防草効果を達成できる発明が要望される状況である。
【０００３】
上記に鑑み、本発明は、出願に際して、関連発明を調査したので、以下にその概要を説明する。
【０００４】
文献１）は、特開平１１−１１７２５１号の「舗装端部界面の防草構造」である。この発明は、防草シートの一方端を、コンクリート製品の下にもぐりこませるととともに、この他端をコンクリート製品等の面に係着させる構造とし、望ましくは、この他端の他方をコンクリート製品等の面に係着させる構造に逃げ幅を設ける構造とする。この発明は、防草シートによる防草効果と、防草シートに、地面の沈下による変形の際の有圧力を軽減し、防草シートの引抜け防止、引切れ防止を図りつつ、路盤転圧時の、ローラーによる防草シートの破損を防ぐこと等を意図する。
【０００５】
文献２）は、特開２００１−１５９１１３の「舗装路面の防草構造」である。この発明は、防草シートの一端を、コンクリート二次製品の路面材側を向いた面に連結し、また、その他端を基礎材の上へ延伸させ、その上面を路面材で覆う構成であって、この防草シートの下面の土中にある雑草の繁殖防止を図る構造である。この発明は、縁堰ブロックや側溝ブロック等の隙間から雑草が生えないように防止する舗装路面の構造を提供することを意図する。
【０００６】
文献３）は、特開２００１−１７２９０６の「道路舗装構造」である。この発明は、Ｌ形側溝の側壁に、載置面を備えた切欠、嵌合溝を形成し、載置面と略面一状に路盤工を敷設するとともに、連続シート部材を、載置面と路盤工との接合部の直上部と、この両者をまたがるように敷設し、連続シート部材の上面を含んで舗装材によりＬ形側溝の周囲を舗装させた道路舗装構造である。この発明は、コンクリート舗装等の道路舗装構造物周りの雑草の繁殖防止と、道路の耐久性を向上させること等を意図する。
【０００７】
また文献４）は、特開２００８−１６３６８９の「防草構造および防草方法」である。この発明は、歩車道境界ブロックと道路構成部の間に形成される隙間に侵入する雑草の根を、枯渇状態にするために、この歩車道境界ブロックの外周面に、補助部材を添接するとともに、この補助部材と外周面の間に中空部形成溝（中空部）を形成する構造であり、この中空部形成溝は、道路の流れ方向に縦設されることを特徴とする。そして、この中空部形成溝を設けることで、中空部形成溝にある根への水の供給を断ち、もって、前記枯渇を達成し、かつ防草効果を図る構成である。
【０００８】
【特許文献１】特開平１１−１１７２５１号
【特許文献２】特開２００１−１５９１１３
【特許文献３】特開２００１−１７２９０６
【特許文献４】特開２００８−１６３６８９
【発明の開示】
【発明が解決しようとする課題】
【０００９】
前記文献１）〜文献３）では、防草シートの本来の特性を発揮し、物理的に、雑草の繁殖（生育）を遮断する構造であり、屈光性と屈地性に逆らう構造ではない。従って、防草シートの幅を長くすることや、又は他のブロック等の構造物で遮断する必要があり、施工費が嵩むこと、又は施工が厄介であること、等の問題を抱えている。尚、文献４）では、中空部形成溝を利用し、根の枯渇を図る構造であるが、根は流れ方向（縦設方向）に成長することから、枯渇するには、日時を要し、雑草の伸長を有効に防止するには、充分とは考えられない。また、この中空部形成溝は地中に存在する及び／又は太陽の照射がないこと、また水が溜まり易いこと等により、水の枯渇は、あまり望めず、もつて、期待する程の根の枯渇はあり得ないと考えられる。そして、また、この文献４）は、屈光性と屈地性に逆らう構造ではない。さらに、この文献４）は、中空部形成溝が水路となり、基層（４０１ａ）、中空部形成片（７ｅ）等の崩壊及び／又は貯水の危険性が考えられる。
【００１０】
上記に鑑み、本発明は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供することを意図する。殊に、板状、型板等の成形体と、モルタル、空練り等の接着性の良い手段を利用し、現場サイドで、要領よく、かつ容易・確実に、屈光性と屈地性に逆らう防草誘導路が形成できる構造物、構築物等の物品の外周面に設けられる防草構造を提供する。さらに、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供する。尚、また本発明は、屈光性と屈地性に逆らう防草誘導路ができる構造物、構築物等の物品の外周面に設けられる防草構造、或いは、接着性の良い手段により、構造物、構築物等の物品の外周面に設けられる防草構造を提供する。また、水路となることもなく、例えば、崩壊及び／又は貯水の危険性は皆無である。
【課題を解決するための手段】
【００１１】
請求項１の発明は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供する。また、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供する。さらに、従来の問題点である地中の水路（クラックを含む）となることもなく、例えば、前述の崩壊及び／又は貯水の危険性を略皆無とすることを意図する。
【００１２】
請求項１は、構造物、構築物の物品の外周面の三面以上に設けられる固定部と、この固定部の端の下方より上方、及び／又は、上方より下方に向かって延設され、かつこの端となる固定部、又は物品の外周面とで鋭角となる上向き、及び／又は、下向きの防草誘導部とでなる防草材を、道路を構成する路盤、舗装、コンクリート、又は地中に埋設することで、この物品の外周面に設けられる雑草の屈光性と屈地性に逆らう防草誘導路を形成する防草構造であって、
この屈光性と屈地性に逆らう防草誘導路を、前記防草材の防草誘導部と、前記道路を構成する路盤、舗装、コンクリート、又は地中とで構成することを特徴とした構造物、構築物の物品の外周面に設けられる雑草の屈光性と屈地性に逆らう防草誘導路を形成する防草構造である。
【００１３】
【００１４】
【００１５】
【００１６】
【００１７】
請求項２の発明は、請求項１の目的を達成すること、この目的を達成するに最適な、鋭角となる上向き、及び／又は、下向きの防草誘導部が形成できる物品の外周面に設けられる防草構造と、この物品の外周面に設けられる防草構造の工法を提供することを意図する。
【００１８】
請求項２は、請求項１の構造物、構築物の物品の外周面に設けられる雑草の屈光性と屈地性に逆らう防草誘導路を形成する防草構造であって、
前記屈光性と屈地性に逆らう防草誘導路は、前記複数個の防草材の防草誘導部と、前記道路を構成する路盤、舗装、コンクリート、又は地中とで構成することを特徴とした構造物、構築物の物品の外周面に設けられる雑草の屈光性と屈地性に逆らう防草誘導路を形成する防草構造である。
【発明の効果】
【００１９】
請求項１の発明は、構造物、構築物の物品の外周面の三面以上に設けられる固定部と、この固定部の端の下方より上方、及び／又は、上方より下方に向かって延設され、かつこの端となる固定部、又は物品の外周面とで鋭角となる上向き、及び／又は、下向きの防草誘導部とでなる防草材を、道路を構成する路盤、舗装、コンクリート、又は地中に埋設することで、この物品の外周面に設けられる雑草の屈光性と屈地性に逆らう防草誘導路を形成する防草構造であって、
この屈光性と屈地性に逆らう防草誘導路を、前記防草材の防草誘導部と、前記道路を構成する路盤、舗装、コンクリート、又は地中とで構成することを特徴とした構造物、構築物の物品の外周面に設けられる雑草の屈光性と屈地性に逆らう防草誘導路を形成する防草構造である。
【００２０】
従って、請求項１は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供できる特徴がある。また、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供できる実益がある。そして、また、従来の問題点である地中の水路（クラックを含む）となることもなく、例えば、崩壊及び／又は貯水の危険性を略皆無となり実用に即した防草構造を提供できる。
【００２１】
【００２２】
【００２３】
【００２４】
【００２５】
請求項２の発明は、請求項１の構造物、構築物の物品の外周面に設けられる雑草の屈光性と屈地性に逆らう防草誘導路を形成する防草構造であって、
前記屈光性と屈地性に逆らう防草誘導路は、前記複数個の防草材の防草誘導部と、前記道路を構成する路盤、舗装、コンクリート、又は地中とで構成することを特徴とした構造物、構築物の物品の外周面に設けられる雑草の屈光性と屈地性に逆らう防草誘導路を形成する防草構造である。
【００２６】
従って、請求項２は、請求項１の目的を達成できること、この目的を達成するに最適な、鋭角となる上向き、及び／又は、下向きの防草誘導部と、この物品の外周面に設けられる防草構造の工法を提供できること等の特徴がある。
【発明を実施するための最良の形態】
【００２７】
本発明の一例を説明する。
【００２８】
図面において、図１−１〜図１−６は、防草材の固定部を、構造物、構築物等の物品（ブロックＷとする）に挾持手段を介して設け、鋭角となる上向き、又は下向きの防草誘導路を形成する各例を示している。また、図２−１〜図２−６は、防草材の固定部を、ブロックＷに差込み手段を介して設け、鋭角となる上向き、又は下向きの防草誘導路を形成する各例を示している。さらに、図３−１、図３−２は、防草材の固定部を、ブロックＷに接着、又は固定手段を介して設け、鋭角となる上向き、又は下向きの防草誘導路を形成する各例を示している。さらに、図４−１〜図４−４は、防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の工程順を示している。図５−１〜図５−６は、ブロックＷをモルタル、又は空練り、若しくは半練り等（接着性の良い手段）を介して設け、断面が鋭角形状となる上向き、又は下向きの防草誘導路を形成する各例を示している。図６−１〜図６−３は、舗装又はインターロッキングブロックを利用した鋭角となる上向き、又は下向きの防草誘導路を形成する各例を示している。図７は、従来のブロック構造物を示している。
【００２９】
図１−１〜図１−６は、第一実施例を示しており、定形性で、かつ地中で腐蝕しない防草板材、防草鋼材等でなる防草材１は、ブロックＷに取付ける一つ、又は複数の固定部１００、１００、１００等（１００とする）と、この固定部１００の各端（上下端、又は中間部、或いは分岐部）よりに連設、又は取付ける鋭角でなる一つ、又は複数の上向きの防草誘導部１０１ａ、或いは一つ、又は複数の下向きの防草誘導部１０１ｂ等で構成されており（他の実施例も同じ）、この防草材１の固定部１００を、挾持手段（固定挾持、緊締挾持、添接挾持等を含む）で、ブロックＷの外周面Ｗａ、Ｗｂ・・・・・・・・・・Ｗｎに設けることで、この上向きの防草誘導部１０１ａ又は下向きの防草誘導部１０１ｂと、道路を構成する舗装で、雑草の屈光性と屈地性に逆らう一つ、又は複数の上向きの防草誘導路２ａ又は下向きの防草誘導路２ｂを形成する（道路の連続方向であり、図面で、手前から、奥面方向である。以下、同じ）。そして、この上向き、又は下向きの防草誘導路２ａ、２ｂは、雑草の屈光性と屈地性に逆らう特性を備えていることから、例えば、上向き、及び／又は、下向きの防草誘導部１０１ａ、１０１ｂと、後述する舗装６が密着した状態、又は、例えば、経年的、物理的な状況で、この上向き、及び／又は、下向きの防草誘導部１０１ａ、１０１ｂと舗装６の間に、隙間が形成された状態、等でも防草効果が図れる。そして、この第一実施例を説明すると、図１−１と、図１−５は、ブロックＷの底側外周面Ｗａと、左右側外周面Ｗｃ、Ｗｂの一部（以下、省略）を、固定部１００で覆い、この左右側外周面Ｗｃ、Ｗｂに、下向きの防草誘導部１０１ｂをそれぞれ設ける。図１−２−１、図１−３は、ブロックＷの対峙する両端を、それぞれ、その形状にあったような固定部１００で覆い、この左右側外周面Ｗｃ、Ｗｂに、下向きの防草誘導部１０１ｂをそれぞれ設ける。また、図１−４は、ブロックＷの全外周面Ｗａ〜Ｗｄを、固定部１００で覆い、この左右側外周面Ｗｃ、Ｗｂに、上向き、及び／又は、下向きの防草誘導部１０１ａ、１０１ｂ（片方が、側面視して略倒Ｖ形）をそれぞれ設ける。さらに、図１−６は、図１−４に準ずる。これらの第一実施例では、原則として、ブロックＷを埋設前に行なうことが望ましい構造であり、現場を始めとして、倉庫、又は販売時に準備できるので、汎用性と、取扱の容易化に寄与できる。また、全体として、搬送時に有益である。尚、図１−２−２は、上向きの防草誘導部１０１ａ及び／又は下向きの防草誘導部１０１ｂを介して、上向きの防草誘導路２ａ及び／又は下向きの防草誘導路２ｂを設けた一例を示している。そして、この下向きの防草誘導部１０１ｂを介して、前述の如く、雑草の成長を防止すること、及び／又は上向きの防草誘導部１０１ａを介して、雑草が成長し、上面１０１ａ−１に至ることにより、屈光性等の効果があり、舗装６に、例えば、垂直のクラックが発生しない限り、防草が図れる（その他の上向きの防草誘導部１０１ａ及び／又は下向きの防草誘導部１０１ｂも同様である）。そして、本発明の防草効果を発揮するには、舗装６にクラックが発生しないことが条件である。尚、防草材１の固定部１００が、ブロックＷに嵌合する構造では、この嵌合箇所に、種子があったても、又は草が生えても、上向き、又は下向きの防草誘導路２ａ、２ｂは、雑草（図示しない）の屈光性と屈地性に逆らう特性を備えていることから、最終的には防草効果が達成できる。尚、図示しないが、上向きの防草誘導部１０１ａを介して、上向きの防草誘導路２ａを設けた一例を示している。そして、この上向きの防草誘導部１０１ａを介して、雑草が成長し、上面１０１ａ−１に至ることにより、屈光性等の効果があり、舗装６に、例えば、垂直のクラックが発生しない限り防草効果が図れる。そして、また、このブロックＷ等の構造物では、路盤５との直接的なクラックは問題が無いが（上方に防草材１が存在するので）、その密着した状態が確保されることが望ましい他の例も同じ）。尚、防草材１とブロックＷとの関係において、例えば、図１−１において、雑草が、固定部１００に沿って、上向きに成長しても、この雑草は、下向きの防草誘導部１０１ｂに沿っていくが、屈光性と屈地性に逆らう誘導路となり、その先端部に到らず枯れるか、先端部に到っても、この先端部の内側で枯れる。また、図１−２−１において、前述の如く、下向きの防草誘導部１０１ｂの少なくとも、先端部までに枯れる。また、仮に、ブロックＷと固定部１００の間を延設した雑草は、その垂直面１０２が、屈光性と屈地性に逆らう誘導路となり、この垂直面１０２の先端部に到らず枯れるか、先端部に到っても、この先端部の内側で枯れる。以下、他の各実施例においても同じ。そして、また、従来の問題点である地中の水路となることもなく、例えば、崩壊及び／又は貯水の危険性を略皆無となり実用に即した防草構造（工法）を提供できる（他の実施例も同じ）。
【００３０】
図２−１〜図２−６は、第二実施例を示しており、図中３は例えば路盤を、５は例えば繰り石（路盤）を、また、６は例えば舗装を、それぞれ示している。防草材１は、ブロックＷに取付ける一つ、又は複数の固定部１００と、この固定部１００に連設、又は取付ける鋭角でなる一つ、又は複数の上向き、及び／又は、下向きの防草誘導部１０１ａ、１０１ｂで構成されており、この防草材１の固定部１００を、差込み手段（挿入、嵌合、固定具、又は圧入等を含む）で、ブロックＷの外周面Ｗａ、Ｗｂ・・・・・・・・・・Ｗｎに設けることで、この上向き、及び／又は、下向きの防草誘導部１０１ａ、１０１ｂと、道路を構成する路盤（３、５）、又は舗装６で、雑草の屈光性と屈地性に逆らう一つ、又は複数の上向き、又は下向きの防草誘導路２ａ、２ｂを形成する。この第二実施例を説明すると、図２−１は、ブロックＷの上側外周面Ｗｄに、折曲げた固定部１００を差込み、この上側外周面Ｗｄと、右側外周面Ｗｂの一部（以下、省略）を経て（上側外周面Ｗｄと、右側外周面Ｗｂを覆い）、下向きの防草誘導部１０１ｂを設ける。そして、この図２−２は、図２−１の略逆パターンである。図２−３は、左側外周面Ｗｃに添接され、上側外周面Ｗｄを跨ぐように右側外周面Ｗｂに至る取付けであって、この右側外周面Ｗｂより、下向きの防草誘導部１０１ｂをそれぞれ設ける。図２−４は、図２−３に準ずるが、右側外周面Ｗｂに一文字形に差込み、この右側外周面Ｗｂを経て、下向きの防草誘導部１０１ｂを設ける。図２−５は、図２−４（右側外周面Ｗｂに差込みと、同じ差込み特徴である。）と、図１−２−２（前述の如く、上向きの防草誘導部１０１ａを介して、上向きの防草誘導路２ａを設けた一例と、この一例と同じ特徴である。）に準ずるが、右側外周面Ｗｂに傾斜して差込み、この右側外周面Ｗｂに上向きの防草誘導部１０１ａ及び／又は下向きの防草誘導部１０１ｂを設ける。即ち、ト形の防草材１であり、簡単で効果があり、確実、かつ合理的な差込み工法、かつアタッチメント式の部材である（他の実施例もこれに準ずる）。そして、原則として、図２−６は、図２−５（傾斜して差込み）に準ずるが、屈曲差込み式で、山形の防草材１が、二重の山部を備えた構造であり、一層の防草効果が期待できる。そして、図示しないが、三重〜多重の山部を備えた構造も可能であり、更なる防草効果が期待できる。その他は、第一実施例に準ずるが、この第二実施例では、防草材１とブロックＷの一体化と、安定した施工が図れる。
【００３１】
図３−１、図３−２は、第三実施例を示しており、防草材１は、ブロックＷに取付ける一つ、又は複数の固定部１００と、この固定部１００に連設、又は取付ける鋭角でなる一つ、又は複数の下向きの防草誘導部１０１ｂで構成されており、この防草材１の固定部１００を、添接手段（添接、差込み、付設、固定、又は圧入等を含む）で、ブロックＷの外周面Ｗａ、Ｗｂ・・・・・・・・・・Ｗｎに設けることで、この下向きの防草誘導部１０１ｂと、道路を構成する路盤（３、５）、又は舗装６で、雑草の屈光性と屈地性に逆らう一つ、又は複数の下向きの防草誘導路２ｂを形成する。この第三実施例を説明すると、図３−１は、ブロックＷの左側外周面Ｗｃ及び／又は右側外周面Ｗｂに、それぞれの固定部１００を添接し、下向きの防草誘導部１０１ｂを設ける。この例は、極めて簡易で、合理性がある。この例は、施工時に設置することが簡便である。また、設置の位置関係は、適宜変更可能である（他の例も同様である）。また、図３−２は、ブロックＷの左側外周面Ｗｃ／又は右側外周面Ｗｂに固定部１００を添接し、図示しないが、必要により固定部１００を適宜部位に差込み、下向きの防草誘導部１０１ｂをそれぞれ設ける。この例は、極めて簡易で、合理性がある。この例は、施工時に設置することが簡便である。その他は、第一・第二実施例に準ずるが、この第三実施例では、防草材１とブロックＷに適宜、かつ任意に取付け得ること、また、安定した施工が図れる。尚、図示しないが、この第三実施例の防草材１を、固定部１００と上向きの防草誘導部１０１ａとで形成し、上向きの防草誘導路２ａを形成することも可能である。
【００３２】
次に、図４−１〜図４−４は、第四実施例を示しており、護岸の法面等に、防草材１及び／又は鋭角でなる一つ、又は複数の上向き、及び／又は、下向きの防草誘導部１０１ａ、１０１ｂを、現場において、成形体１０（一例であるが、簡便である）で構築する構造であり、例えば、ブロックＷの右側外周面Ｗｂ（周辺）に設ける構造では、図４−１の如く、成形体１０を設置し、路盤（３、５）に、防草材１及び／又は鋭角でなる一つ、又は複数の上向き、及び／又は、下向きの防草誘導部１０１ａ、１０１ｂが設置可能な路面１１を形成する。そして、図４−２の如く、この路面１１に、防草材１及び／又は上向き、及び／又は、下向きの防草誘導部１０１ａ、１０１ｂを設置する。その後、図４−３の如く、モルタル、又は空練り、若しくは半練り、又は砂セメントを練ったもの等の接着性の良い手段１３（接着性の良い手段１３）を利用し、路盤（３、５）及び／又は路面１１に形成された空間部位１２（隙間）を塞ぐか、及び／又は、転圧を掛ける。この転圧により、ブロックＷと接着性の良い手段１３の隙間発生回避と、また、防草材１及び／又は上向き、及び／又は、下向きの防草誘導部１０１ａ、１０１ｂの連繋強化と、上向き、又は下向きの防草誘導路２ａ、２ｂの隙間発生回避すること、並びに舗装６との一体化を図るための施工をする。以上の手順で、道路の連続方向に、雑草の屈光性と屈地性に逆らう上向き、又は下向きの防草誘導路２ａ、２ｂが形成される。そして、この例では、現場において、任意に施工できること、また、防草材１の形状が限定されないこと、さらには、施工が容易であること、さらにまた、既設の構造物、河川の法面用のブロックＷにも施工できること、等の利点がある。尚、この例では、成形体１０の例では、簡便かつ確実に、上向き、及び／又は、下向きの防草誘導部１０１ａ、１０１ｂが設置可能な路面１１が形成される。また、図示しないが、防草構造は、現場での施工を利用して、構築することも可能である。
そして、図５−１〜図５−６は、第五実施例を示しており、接着性の良い手段１３により、図５−１〜図５−６に示した断面が、鋭角形状となる上向き、又は下向きの防草誘導路２ａ、２ｂを形成する。また、図５−３では、モルタル、又は空練り、若しくは半練り等と舗装６（ブロックＷ）間に、板状、型板等の成形体１０を使用して、上向き、及び／又は、下向きの防草誘導部１０１ａ、１０１ｂの傾斜形状の板材１６を設けることにより、施工時にモルタル又は空練り若しくは半練り等に傾斜をつくる必要がなくなり、現場作業を簡便化できる。また、場合により、モルタル又は空練り若しくは半練り等や路盤（３、５）と、板材１６間に隙間ができても、防草の目的が達成でき、有益である。図５−５、図５−６は、基礎コンクリート１７を介して、モルタル又は空練り若しくは半練り等と路盤（３、５）を施工する一例である。この基礎コンクリート１７は、図示の例では、路盤（３、５）及び構造物、構築物等の物品を安定させるため、接着性の良い手段１３が良いが、図示しないセメント、又は砂セメント等でも可能であり、限定するものではない（他の実施例も同じ）。
図６−１〜図６−３は、第六実施例を示しており、路盤（３、５）、又は路盤（３、５）の上面に砂７により、成形体１０を利用し、鋭角となる上向き、又は下向きの防草誘導路２ａ、２ｂを形成し、この施工手段１３を介して、舗装６又はインターロッキングブロック８を施工している。防草誘導路を設けて、手段１３を実施することにより、ブロックＷ（舗装６又はインターロッキングブロック８）の目地から雑草の発生を自然に止めることが可能である、また、図６−１は、成形体１０を介して、砂７に、一個、又は複数の上向き、又は下向きの防草誘導路２ａ、２ｂを形成し、その上にインターロッキングブロック８の施工規定を遵守して施工すること、又はそのインターロッキングブロック８の効果を発揮することであり、規定に沿った施工が略完全に達成できる。そして、図６−２と、図６−３は、成形体１０を介して、砕石３に、一個、又は複数の上向き、又は下向きの防草誘導路２ａ、２ｂを形成し、その上に舗装６を施工する構造である。この施工は、現場において、簡易かつ確実に、各実施例と同様に、防草効果が発揮できる。
【００３３】
以上で説明した各実施例に限定されず、図示しないが、前述した、それぞれの例を複合的、及び／又は、並列的等に採用し、一層の防草効果と、更なる施工の汎用化、標準化、並びに容易化、利便性を確保することも可能である。また、前述した防草構造を既設の構造物、又は構築物に採用できることは勿論であり、その際の特徴は、前述の書く実施例に準ずる。また、前記上向きの防草誘導部１０１ａ及び下向きの防草誘導部１０１ｂを、連続して設け、上向きの防草誘導路２ａ及び下向きの防草誘導路２ｂを、連設した構造では、前述の如く、屈光性等の効果が増幅され、略完全な雑草の成長を防止できること、及び防草効果が図れること、等の特徴がある。
【００３４】
尚、図７は、従来のブロック構造物を示した模式図である。
【図面の簡単な説明】
【００３５】
【図１−１】防草材の固定部を、構造物等に挾持手段を介して設け、鋭角となる上向き、又は下向きの防草誘導路を形成する一例の模式図
【図１−２−１】防草材の固定部を、構造物等に挾持手段を介して設け、鋭角となる上向き、又は下向きの防草誘導路を形成する他の一例の模式図
【図１−２−２】防草材の固定部を、構造物等に挾持手段を介して設け、鋭角となる上向き、又は下向きの防草誘導路を形成する他の一例の模式図
【図１−３】防草材の固定部を、構造物等に挾持手段を介して設け、鋭角となる上向き、又は下向きの防草誘導路を形成する他の一例の模式図
【図１−４】防草材の固定部を、構造物等に挾持手段を介して設け、鋭角となる上向き、又は下向きの防草誘導路を形成する他の一例の模式図
【図１−５】防草材の固定部を、構造物等に挾持手段を介して設け、鋭角となる上向き、又は下向きの防草誘導路を形成する他の一例の模式図
【図１−６】防草材の固定部を、構造物等に挾持手段を介して設け、鋭角となる上向き、又は下向きの防草誘導路を形成する他の一例の模式図
【図２−１】防草材の固定部を、ブロックＷに差込み手段を介して設け、鋭角となる上向き、又は下向きの防草誘導路を形成する一例の模式図
【図２−２】防草材の固定部を、ブロックＷに差込み手段を介して設け、鋭角となる上向き、又は下向きの防草誘導路を形成する他の一例の模式図
【図２−３】防草材の固定部を、ブロックＷに差込み手段を介して設け、鋭角となる上向き、又は下向きの防草誘導路を形成する他の一例の模式図
【図２−４】防草材の固定部を、ブロックＷに差込み手段を介して設け、鋭角となる上向き、又は下向きの防草誘導路を形成する他の一例の模式図
【図２−５】防草材の固定部を、ブロックＷに差込み手段を介して設け、鋭角となる上向き、又は下向きの防草誘導路を形成する他の一例の模式図
【図２−６】防草材の固定部を、ブロックＷに差込み手段を介して設け、鋭角となる上向き、又は下向きの防草誘導路を形成する他の一例の模式図
【図３−１】防草材の固定部を、ブロックＷに接着、又は固定手段を介して設け、鋭角となる上向き、又は下向きの防草誘導路を形成する一例の模式図
【図３−２】防草材の固定部を、ブロックＷに接着、又は固定手段を介して設け、鋭角となる上向き、又は下向きの防草誘導路を形成する他の一例の模式図
【図４−１】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の一番目の工程を示した模式図
【図４−２】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の二番目の工程を示した模式図
【図４−３】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の三番目の工程を示した模式図
【図４−４】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の四番目の工程を示した模式図
【図５−１】ブロックＷをモルタル、又は空練り、若しくは半練り等（接着性の良い手段）を介して設け、断面が鋭角形状となる上向き、又は下向きの防草誘導路を形成する一例の模式図
【図５−２】ブロックＷをモルタル、又は空練り、若しくは半練り等（接着性の良い手段）を介して設け、断面が鋭角形状となる上向き、又は下向きの防草誘導路を形成する他の一例の模式図
【図５−３】ブロックＷをモルタル、又は空練り、若しくは半練り等（接着性の良い手段）を介して設け、断面が鋭角形状となる上向き、又は下向きの防草誘導路を形成する他の一例の模式図
【図５−４】ブロックＷをモルタル、又は空練り、若しくは半練り等（接着性の良い手段）を介して設け、断面が鋭角形状となる上向き、又は下向きの防草誘導路を形成する他の一例の模式図
【図５−５】ブロックＷをモルタル、又は空練り、若しくは半練り等（接着性の良い手段）を介して設け、断面が鋭角形状となる上向き、又は下向きの防草誘導路を形成する他の一例の模式図
【図５−６】ブロックＷをモルタル、又は空練り、若しくは半練り等（接着性の良い手段）を介して設け、断面が鋭角形状となる上向き、又は下向きの防草誘導路を形成する他の一例の模式図
【図６−１】舗装又はインターロッキングブロックを利用した鋭角となる上向き、又は下向きの防草誘導路を形成する一例の模式図
【図６−２】舗装又はインターロッキングブロックを利用した鋭角となる上向き、又は下向きの防草誘導路を形成する他の一例の模式図
【図６−３】舗装又はインターロッキングブロックを利用した鋭角となる上向き、又は下向きの防草誘導路を形成する他の一例の模式図
【図７】従来のブロック構造物を示した模式図
【符号の説明】
【００３６】
１            防草材
１００        固定部
１０１ａ      上向きの防草誘導部
１０１ａ−１  上面
１０１ｂ      下向きの防草誘導部
１０２        垂直面
２ａ          上向きの防草誘導路
２ｂ          下向きの防草誘導路
３            砕石（路盤）
５            繰り石（路盤）
６            舗装
７            砂
８            インターロッキングブロック
１０          成形体
１１          路面
１２          空間部位
１３          接着性の良い手段
１６          板材
１７          基礎コンクリート
Ｗ            ブロック
Ｗａ          底側外周面
Ｗｂ          右側外周面
Ｗｃ          左側外周面
Ｗｄ          上側外周面
Ｗｎ          外周面
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
外周面が多数の面で形成される構造物、構築物の物品に、この構造物、構築物の物品の外周面の三面以上を使って設けられる固定部と、この固定部の折曲げ端より鋭角に曲った下向きの防草誘導部か、又は上向きの防草誘導部とでなる防草材であって、
この防草材の下向きの防草誘導部と、道路を構成する路盤、舗装、コンクリート、又は地中とで、雑草の屈光性と屈地性に逆らう一つ、又は複数の下向きの防草誘導路を形成するか、又は、この防草材の上向きの防草誘導部と、前記道路を構成する路盤、舗装、コンクリート、又は地中とで、雑草の屈光性と屈地性に逆らう一つ、又は複数の上向きの防草誘導路を形成することを特徴とした構造物、構築物の物品の外周面に設けられる防草構造。
【手続補正２】
【補正対象書類名】明細書
【補正対象項目名】全文
【補正方法】変更
【補正の内容】
【発明の詳細な説明】
【技術分野】
【０００１】
本発明は、構造物、構築物等の物品の外周面に設けられるアタッチメント式（挾持手段、固定手段、又は差込み手段）の防草構造や、又は現場形成方式（板状、型板、形、その他の板材等の成形体で構成される鋭角となる上向き、及び／又は、下向きの防草誘導部を備えた壁面、及び前記外周面に充填される接着性の良い手段）の防草構造に関する。
【背景技術】
【０００２】
本出願人は、特許第３６９８２６５号の「防草等を意図した構造物の構造と防草を意図した構造物と構造物の防草等の工法」を始めとして、多数の特許、並びに出願をしている。その基本原理は、構造物と、この構造物自体の壁面に凹凸を設けて、植物の自然な性質、即ち、屈光性と屈地性に逆らう防草誘導部を設けることで、この構造物等の目地から雑草の発生を自然に止め、防草効果を図っている。しかし、基本は、構造物等の壁面に凹凸を設ける構造である。従って、更なる工夫をすることが要望される状況となり、また、使い勝手の良い防草効果を達成できる発明が要望される状況である。
【０００３】
上記に鑑み、本発明は、出願に際して、関連発明を調査したので、以下にその概要を説明する。
【０００４】
文献１）は、特開平１１−１１７２５１号の「舗装端部界面の防草構造」である。この発明は、防草シートの一方端を、コンクリート製品の下にもぐりこませるととともに、この他端をコンクリート製品等の面に係着させる構造とし、望ましくは、この他端の他方をコンクリート製品等の面に係着させる構造に逃げ幅を設ける構造とする。この発明は、防草シートによる防草効果と、防草シートに、地面の沈下による変形の際の有圧力を軽減し、防草シートの引抜け防止、引切れ防止を図りつつ、路盤転圧時の、ローラーによる防草シートの破損を防ぐこと等を意図する。
【０００５】
文献２）は、特開２００１−１５９１１３の「舗装路面の防草構造」である。この発明は、防草シートの一端を、コンクリート二次製品の路面材側を向いた面に連結し、また、その他端を基礎材の上へ延伸させ、その上面を路面材で覆う構成であって、この防草シートの下面の土中にある雑草の繁殖防止を図る構造である。この発明は、縁堰ブロックや側溝ブロック等の隙間から雑草が生えないように防止する舗装路面の構造を提供することを意図する。
【０００６】
文献３）は、特開２００１−１７２９０６の「道路舗装構造」である。この発明は、Ｌ形側溝の側壁に、載置面を備えた切欠、嵌合溝を形成し、載置面と略面一状に路盤工を敷設するとともに、連続シート部材を、載置面と路盤工との接合部の直上部と、この両者をまたがるように敷設し、連続シート部材の上面を含んで舗装材によりＬ形側溝の周囲を舗装させた道路舗装構造である。この発明は、コンクリート舗装等の道路舗装構造物周りの雑草の繁殖防止と、道路の耐久性を向上させること等を意図する。
【０００７】
また文献４）は、特開２００８−１６３６８９の「防草構造および防草方法」である。この発明は、歩車道境界ブロックと道路構成部の間に形成される隙間に侵入する雑草の根を、枯渇状態にするために、この歩車道境界ブロックの外周面に、補助部材を添接するとともに、この補助部材と外周面の間に中空部形成溝（中空部）を形成する構造であり、この中空部形成溝は、道路の流れ方向に縦設されることを特徴とする。そして、この中空部形成溝を設けることで、中空部形成溝にある根への水の供給を断ち、もって、前記枯渇を達成し、かつ防草効果を図る構成である。
【０００８】
【特許文献１】特開平１１−１１７２５１号
【特許文献２】特開２００１−１５９１１３
【特許文献３】特開２００１−１７２９０６
【特許文献４】特開２００８−１６３６８９
【発明の開示】
【発明が解決しようとする課題】
【０００９】
前記文献１）〜文献３）では、防草シートの本来の特性を発揮し、物理的に、雑草の繁殖（生育）を遮断する構造であり、屈光性と屈地性に逆らう構造ではない。従って、防草シートの幅を長くすることや、又は他のブロック等の構造物で遮断する必要があり、施工費が嵩むこと、又は施工が厄介であること、等の問題を抱えている。尚、文献４）では、中空部形成溝を利用し、根の枯渇を図る構造であるが、根は流れ方向（縦設方向）に成長することから、枯渇するには、日時を要し、雑草の伸長を有効に防止するには、充分とは考えられない。また、この中空部形成溝は地中に存在する及び／又は太陽の照射がないこと、また水が溜まり易いこと等により、水の枯渇は、あまり望めず、もつて、期待する程の根の枯渇はあり得ないと考えられる。そして、また、この文献４）は、屈光性と屈地性に逆らう構造ではない。さらに、この文献４）は、中空部形成溝が水路となり、基層（４０１ａ）、中空部形成片（７ｅ）等の崩壊及び／又は貯水の危険性が考えられる。
【００１０】
上記に鑑み、本発明は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供することを意図する。殊に、板状、型板等の成形体と、モルタル、空練り等の接着性の良い手段を利用し、現場サイドで、要領よく、かつ容易・確実に、屈光性と屈地性に逆らう防草誘導路が形成できる構造物、構築物等の物品の外周面に設けられる防草構造を提供する。さらに、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供する。尚、また本発明は、屈光性と屈地性に逆らう防草誘導路ができる構造物、構築物等の物品の外周面に設けられる防草構造、或いは、接着性の良い手段により、構造物、構築物等の物品の外周面に設けられる防草構造を提供する。また、水路となることもなく、例えば、崩壊及び／又は貯水の危険性は皆無である。
【課題を解決するための手段】
【００１１】
請求項１の発明は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供する。また、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供する。さらに、従来の問題点である地中の水路（クラックを含む）となることもなく、例えば、前述の崩壊及び／又は貯水の危険性を略皆無とすることを意図する。
【００１２】
請求項１は、外周面が多数の面で形成される構造物、構築物の物品に、この構造物、構築物の物品の外周面の三面以上を使って設けられる固定部と、この固定部の折曲げ端より鋭角に曲った下向きの防草誘導部か、又は上向きの防草誘導部とでなる防草材であって、
この防草材の下向きの防草誘導部と、道路を構成する路盤、舗装、コンクリート、又は地中とで、雑草の屈光性と屈地性に逆らう一つ、又は複数の下向きの防草誘導路を形成するか、又は、この防草材の上向きの防草誘導部と、前記道路を構成する路盤、舗装、コンクリート、又は地中とで、雑草の屈光性と屈地性に逆らう一つ、又は複数の上向きの防草誘導路を形成することを特徴とした構造物、構築物の物品の外周面に設けられる防草構造である。
【００１３】
【００１４】
【００１５】
【００１６】
【００１７】
【００１８】
【発明の効果】
【００１９】
請求項１の発明は、外周面が多数の面で形成される構造物、構築物の物品に、構造物、構築物の物品の外周面の三面以上を使って設けられる固定部と、固定部の折曲げ端より鋭角に曲った下向きの防草誘導部か、又は上向きの防草誘導部とでなる防草材であって、
防草材の下向きの防草誘導部と、道路を構成する路盤、舗装、コンクリート、又は地中とで、雑草の屈光性と屈地性に逆らう一つ、又は複数の下向きの防草誘導路を形成するか、又は、防草材の上向きの防草誘導部と、道路を構成する路盤、舗装、コンクリート、又は地中とで、雑草の屈光性と屈地性に逆らう一つ、又は複数の上向きの防草誘導路を形成することを特徴とした構造物、構築物の物品の外周面に設けられる防草構造である。
【００２０】
従って、請求項１は、屈光性と屈地性に逆らう防草誘導路を形成し、防草効果を達成すること、又は構造物、構築物等の物品の形をそのままにして、前記屈光性と屈地性に逆らう防草誘導路を形成することで、構造物、構築物等の物品に対する施工作業の軽減化と、現場において、簡易に施工できる構造物、構築物等の物品の外周面に設けられる防草構造を提供できる特徴がある。また、構造物、構築物等の物品の外周面に設けられる挾持手段、固定手段、又は差込み手段を利用し、簡易かつ確実に、屈光性と屈地性に逆らう防草誘導路が形成できる構造物、構築物等の物品の外周面に設けられる防草構造を提供できる実益がある。そして、また、従来の問題点である地中の水路（クラックを含む）となることもなく、例えば、崩壊及び／又は貯水の危険性を略皆無となり実用に即した防草構造を提供できる。
【００２１】
【００２２】
【００２３】
【００２４】
【００２５】
【００２６】
【００２７】
本発明の一例を説明する。
【００２８】
図面において、図１−１〜図１−６は、防草材の固定部を、構造物、構築物等の物品（ブロックＷとする）に挾持手段を介して設け、鋭角となる上向き、又は下向きの防草誘導路を形成する各例を示している。また、図２−１〜図２−６は、防草材の固定部を、ブロックＷに差込み手段を介して設け、鋭角となる上向き、又は下向きの防草誘導路を形成する各例を示している。さらに、図３−１、図３−２は、防草材の固定部を、ブロックＷに接着、又は固定手段を介して設け、鋭角となる上向き、又は下向きの防草誘導路を形成する各例を示している。さらに、図４−１〜図４−４は、防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の工程順を示している。図５−１〜図５−６は、ブロックＷをモルタル、又は空練り、若しくは半練り等（接着性の良い手段）を介して設け、断面が鋭角形状となる上向き、又は下向きの防草誘導路を形成する各例を示している。図６−１〜図６−３は、舗装又はインターロッキングブロックを利用した鋭角となる上向き、又は下向きの防草誘導路を形成する各例を示している。図７は、従来のブロック構造物を示している。
【００２９】
図１−１〜図１−６は、第一実施例を示しており、定形性で、かつ地中で腐蝕しない防草板材、防草鋼材等でなる防草材１は、ブロックＷに取付ける一つ、又は複数の固定部１００、１００、１００等（１００とする）と、この固定部１００の各端（上下端、又は中間部、或いは分岐部）よりに連設、又は取付ける鋭角でなる一つ、又は複数の上向きの防草誘導部１０１ａ、或いは一つ、又は複数の下向きの防草誘導部１０１ｂ等で構成されており（他の実施例も同じ）、この防草材１の固定部１００を、挾持手段（固定挾持、緊締挾持、添接挾持等を含む）で、ブロックＷの外周面Ｗａ、Ｗｂ・・・・・・・・・・Ｗｎに設けることで、この上向きの防草誘導部１０１ａ又は下向きの防草誘導部１０１ｂと、道路を構成する舗装で、雑草の屈光性と屈地性に逆らう一つ、又は複数の上向きの防草誘導路２ａ又は下向きの防草誘導路２ｂを形成する（道路の連続方向であり、図面で、手前から、奥面方向である。以下、同じ）。そして、この上向き、又は下向きの防草誘導路２ａ、２ｂは、雑草の屈光性と屈地性に逆らう特性を備えていることから、例えば、上向き、及び／又は、下向きの防草誘導部１０１ａ、１０１ｂと、後述する舗装６が密着した状態、又は、例えば、経年的、物理的な状況で、この上向き、及び／又は、下向きの防草誘導部１０１ａ、１０１ｂと舗装６の間に、隙間が形成された状態、等でも防草効果が図れる。そして、この第一実施例を説明すると、図１−１と、図１−５は、ブロックＷの底側外周面Ｗａと、左右側外周面Ｗｃ、Ｗｂの一部（以下、省略）を、固定部１００で覆い、この左右側外周面Ｗｃ、Ｗｂに、下向きの防草誘導部１０１ｂをそれぞれ設ける。図１−２−１、図１−３は、ブロックＷの対峙する両端を、それぞれ、その形状にあったような固定部１００で覆い、この左右側外周面Ｗｃ、Ｗｂに、下向きの防草誘導部１０１ｂをそれぞれ設ける。また、図１−４は、ブロックＷの全外周面Ｗａ〜Ｗｄを、固定部１００で覆い、この左右側外周面Ｗｃ、Ｗｂに、上向き、及び／又は、下向きの防草誘導部１０１ａ、１０１ｂ（片方が、側面視して略倒Ｖ形）をそれぞれ設ける。さらに、図１−６は、図１−４に準ずる。これらの第一実施例では、原則として、ブロックＷを埋設前に行なうことが望ましい構造であり、現場を始めとして、倉庫、又は販売時に準備できるので、汎用性と、取扱の容易化に寄与できる。また、全体として、搬送時に有益である。尚、図１−２−２は、上向きの防草誘導部１０１ａ及び／又は下向きの防草誘導部１０１ｂを介して、上向きの防草誘導路２ａ及び／又は下向きの防草誘導路２ｂを設けた一例を示している。そして、この下向きの防草誘導部１０１ｂを介して、前述の如く、雑草の成長を防止すること、及び／又は上向きの防草誘導部１０１ａを介して、雑草が成長し、上面１０１ａ−１に至ることにより、屈光性等の効果があり、舗装６に、例えば、垂直のクラックが発生しない限り、防草が図れる（その他の上向きの防草誘導部１０１ａ及び／又は下向きの防草誘導部１０１ｂも同様である）。そして、本発明の防草効果を発揮するには、舗装６にクラックが発生しないことが条件である。尚、防草材１の固定部１００が、ブロックＷに嵌合する構造では、この嵌合箇所に、種子があったても、又は草が生えても、上向き、又は下向きの防草誘導路２ａ、２ｂは、雑草（図示しない）の屈光性と屈地性に逆らう特性を備えていることから、最終的には防草効果が達成できる。尚、図示しないが、上向きの防草誘導部１０１ａを介して、上向きの防草誘導路２ａを設けた一例を示している。そして、この上向きの防草誘導部１０１ａを介して、雑草が成長し、上面１０１ａ−１に至ることにより、屈光性等の効果があり、舗装６に、例えば、垂直のクラックが発生しない限り防草効果が図れる。そして、また、このブロックＷ等の構造物では、路盤５との直接的なクラックは問題が無いが（上方に防草材１が存在するので）、その密着した状態が確保されることが望ましい他の例も同じ）。尚、防草材１とブロックＷとの関係において、例えば、図１−１において、雑草が、固定部１００に沿って、上向きに成長しても、この雑草は、下向きの防草誘導部１０１ｂに沿っていくが、屈光性と屈地性に逆らう誘導路となり、その先端部に到らず枯れるか、先端部に到っても、この先端部の内側で枯れる。また、図１−２−１において、前述の如く、下向きの防草誘導部１０１ｂの少なくとも、先端部までに枯れる。また、仮に、ブロックＷと固定部１００の間を延設した雑草は、その垂直面１０２が、屈光性と屈地性に逆らう誘導路となり、この垂直面１０２の先端部に到らず枯れるか、先端部に到っても、この先端部の内側で枯れる。以下、他の各実施例においても同じ。そして、また、従来の問題点である地中の水路となることもなく、例えば、崩壊及び／又は貯水の危険性を略皆無となり実用に即した防草構造（工法）を提供できる（他の実施例も同じ）。
【００３０】
図２−１〜図２−６は、第二実施例を示しており、図中３は例えば路盤を、５は例えば繰り石（路盤）を、また、６は例えば舗装を、それぞれ示している。防草材１は、ブロックＷに取付ける一つ、又は複数の固定部１００と、この固定部１００に連設、又は取付ける鋭角でなる一つ、又は複数の上向き、及び／又は、下向きの防草誘導部１０１ａ、１０１ｂで構成されており、この防草材１の固定部１００を、差込み手段（挿入、嵌合、固定具、又は圧入等を含む）で、ブロックＷの外周面Ｗａ、Ｗｂ・・・・・・・・・・Ｗｎに設けることで、この上向き、及び／又は、下向きの防草誘導部１０１ａ、１０１ｂと、道路を構成する路盤（３、５）、又は舗装６で、雑草の屈光性と屈地性に逆らう一つ、又は複数の上向き、又は下向きの防草誘導路２ａ、２ｂを形成する。この第二実施例を説明すると、図２−１は、ブロックＷの上側外周面Ｗｄに、折曲げた固定部１００を差込み、この上側外周面Ｗｄと、右側外周面Ｗｂの一部（以下、省略）を経て（上側外周面Ｗｄと、右側外周面Ｗｂを覆い）、下向きの防草誘導部１０１ｂを設ける。そして、この図２−２は、図２−１の略逆パターンである。図２−３は、左側外周面Ｗｃに添接され、上側外周面Ｗｄを跨ぐように右側外周面Ｗｂに至る取付けであって、この右側外周面Ｗｂより、下向きの防草誘導部１０１ｂをそれぞれ設ける。図２−４は、図２−３に準ずるが、右側外周面Ｗｂに一文字形に差込み、この右側外周面Ｗｂを経て、下向きの防草誘導部１０１ｂを設ける。図２−５は、図２−４（右側外周面Ｗｂに差込みと、同じ差込み特徴である。）と、図１−２−２（前述の如く、上向きの防草誘導部１０１ａを介して、上向きの防草誘導路２ａを設けた一例と、この一例と同じ特徴である。）に準ずるが、右側外周面Ｗｂに傾斜して差込み、この右側外周面Ｗｂに上向きの防草誘導部１０１ａ及び／又は下向きの防草誘導部１０１ｂを設ける。即ち、ト形の防草材１であり、簡単で効果があり、確実、かつ合理的な差込み工法、かつアタッチメント式の部材である（他の実施例もこれに準ずる）。そして、原則として、図２−６は、図２−５（傾斜して差込み）に準ずるが、屈曲差込み式で、山形の防草材１が、二重の山部を備えた構造であり、一層の防草効果が期待できる。そして、図示しないが、三重〜多重の山部を備えた構造も可能であり、更なる防草効果が期待できる。その他は、第一実施例に準ずるが、この第二実施例では、防草材１とブロックＷの一体化と、安定した施工が図れる。
【００３１】
図３−１、図３−２は、第三実施例を示しており、防草材１は、ブロックＷに取付ける一つ、又は複数の固定部１００と、この固定部１００に連設、又は取付ける鋭角でなる一つ、又は複数の下向きの防草誘導部１０１ｂで構成されており、この防草材１の固定部１００を、添接手段（添接、差込み、付設、固定、又は圧入等を含む）で、ブロックＷの外周面Ｗａ、Ｗｂ・・・・・・・・・・Ｗｎに設けることで、この下向きの防草誘導部１０１ｂと、道路を構成する路盤（３、５）、又は舗装６で、雑草の屈光性と屈地性に逆らう一つ、又は複数の下向きの防草誘導路２ｂを形成する。この第三実施例を説明すると、図３−１は、ブロックＷの左側外周面Ｗｃ及び／又は右側外周面Ｗｂに、それぞれの固定部１００を添接し、下向きの防草誘導部１０１ｂを設ける。この例は、極めて簡易で、合理性がある。この例は、施工時に設置することが簡便である。また、設置の位置関係は、適宜変更可能である（他の例も同様である）。また、図３−２は、ブロックＷの左側外周面Ｗｃ／又は右側外周面Ｗｂに固定部１００を添接し、図示しないが、必要により固定部１００を適宜部位に差込み、下向きの防草誘導部１０１ｂをそれぞれ設ける。この例は、極めて簡易で、合理性がある。この例は、施工時に設置することが簡便である。その他は、第一・第二実施例に準ずるが、この第三実施例では、防草材１とブロックＷに適宜、かつ任意に取付け得ること、また、安定した施工が図れる。尚、図示しないが、この第三実施例の防草材１を、固定部１００と上向きの防草誘導部１０１ａとで形成し、上向きの防草誘導路２ａを形成することも可能である。
【００３２】
次に、図４−１〜図４−４は、第四実施例を示しており、護岸の法面等に、防草材１及び／又は鋭角でなる一つ、又は複数の上向き、及び／又は、下向きの防草誘導部１０１ａ、１０１ｂを、現場において、成形体１０（一例であるが、簡便である）で構築する構造であり、例えば、ブロックＷの右側外周面Ｗｂ（周辺）に設ける構造では、図４−１の如く、成形体１０を設置し、路盤（３、５）に、防草材１及び／又は鋭角でなる一つ、又は複数の上向き、及び／又は、下向きの防草誘導部１０１ａ、１０１ｂが設置可能な路面１１を形成する。そして、図４−２の如く、この路面１１に、防草材１及び／又は上向き、及び／又は、下向きの防草誘導部１０１ａ、１０１ｂを設置する。その後、図４−３の如く、モルタル、又は空練り、若しくは半練り、又は砂セメントを練ったもの等の接着性の良い手段１３（接着性の良い手段１３）を利用し、路盤（３、５）及び／又は路面１１に形成された空間部位１２（隙間）を塞ぐか、及び／又は、転圧を掛ける。この転圧により、ブロックＷと接着性の良い手段１３の隙間発生回避と、また、防草材１及び／又は上向き、及び／又は、下向きの防草誘導部１０１ａ、１０１ｂの連繋強化と、上向き、又は下向きの防草誘導路２ａ、２ｂの隙間発生回避すること、並びに舗装６との一体化を図るための施工をする。以上の手順で、道路の連続方向に、雑草の屈光性と屈地性に逆らう上向き、又は下向きの防草誘導路２ａ、２ｂが形成される。そして、この例では、現場において、任意に施工できること、また、防草材１の形状が限定されないこと、さらには、施工が容易であること、さらにまた、既設の構造物、河川の法面用のブロックＷにも施工できること、等の利点がある。尚、この例では、成形体１０の例では、簡便かつ確実に、上向き、及び／又は、下向きの防草誘導部１０１ａ、１０１ｂが設置可能な路面１１が形成される。また、図示しないが、防草構造は、現場での施工を利用して、構築することも可能である。
そして、図５−１〜図５−６は、第五実施例を示しており、接着性の良い手段１３により、図５−１〜図５−６に示した断面が、鋭角形状となる上向き、又は下向きの防草誘導路２ａ、２ｂを形成する。また、図５−３では、モルタル、又は空練り、若しくは半練り等と舗装６（ブロックＷ）間に、板状、型板等の成形体１０を使用して、上向き、及び／又は、下向きの防草誘導部１０１ａ、１０１ｂの傾斜形状の板材１６を設けることにより、施工時にモルタル又は空練り若しくは半練り等に傾斜をつくる必要がなくなり、現場作業を簡便化できる。また、場合により、モルタル又は空練り若しくは半練り等や路盤（３、５）と、板材１６間に隙間ができても、防草の目的が達成でき、有益である。図５−５、図５−６は、基礎コンクリート１７を介して、モルタル又は空練り若しくは半練り等と路盤（３、５）を施工する一例である。この基礎コンクリート１７は、図示の例では、路盤（３、５）及び構造物、構築物等の物品を安定させるため、接着性の良い手段１３が良いが、図示しないセメント、又は砂セメント等でも可能であり、限定するものではない（他の実施例も同じ）。
図６−１〜図６−３は、第六実施例を示しており、路盤（３、５）、又は路盤（３、５）の上面に砂７により、成形体１０を利用し、鋭角となる上向き、又は下向きの防草誘導路２ａ、２ｂを形成し、この施工手段１３を介して、舗装６又はインターロッキングブロック８を施工している。防草誘導路を設けて、手段１３を実施することにより、ブロックＷ（舗装６又はインターロッキングブロック８）の目地から雑草の発生を自然に止めることが可能である、また、図６−１は、成形体１０を介して、砂７に、一個、又は複数の上向き、又は下向きの防草誘導路２ａ、２ｂを形成し、その上にインターロッキングブロック８の施工規定を遵守して施工すること、又はそのインターロッキングブロック８の効果を発揮することであり、規定に沿った施工が略完全に達成できる。そして、図６−２と、図６−３は、成形体１０を介して、砕石３に、一個、又は複数の上向き、又は下向きの防草誘導路２ａ、２ｂを形成し、その上に舗装６を施工する構造である。この施工は、現場において、簡易かつ確実に、各実施例と同様に、防草効果が発揮できる。
【００３３】
以上で説明した各実施例に限定されず、図示しないが、前述した、それぞれの例を複合的、及び／又は、並列的等に採用し、一層の防草効果と、更なる施工の汎用化、標準化、並びに容易化、利便性を確保することも可能である。また、前述した防草構造を既設の構造物、又は構築物に採用できることは勿論であり、その際の特徴は、前述の書く実施例に準ずる。また、前記上向きの防草誘導部１０１ａ及び下向きの防草誘導部１０１ｂを、連続して設け、上向きの防草誘導路２ａ及び下向きの防草誘導路２ｂを、連設した構造では、前述の如く、屈光性等の効果が増幅され、略完全な雑草の成長を防止できること、及び防草効果が図れること、等の特徴がある。
【００３４】
尚、図７は、従来のブロック構造物を示した模式図である。
【図面の簡単な説明】
【００３５】
【図１−１】防草材の固定部を、構造物等に挾持手段を介して設け、鋭角となる上向き、又は下向きの防草誘導路を形成する一例の模式図
【図１−２−１】防草材の固定部を、構造物等に挾持手段を介して設け、鋭角となる上向き、又は下向きの防草誘導路を形成する他の一例の模式図
【図１−２−２】防草材の固定部を、構造物等に挾持手段を介して設け、鋭角となる上向き、又は下向きの防草誘導路を形成する他の一例の模式図
【図１−３】防草材の固定部を、構造物等に挾持手段を介して設け、鋭角となる上向き、又は下向きの防草誘導路を形成する他の一例の模式図
【図１−４】防草材の固定部を、構造物等に挾持手段を介して設け、鋭角となる上向き、又は下向きの防草誘導路を形成する他の一例の模式図
【図１−５】防草材の固定部を、構造物等に挾持手段を介して設け、鋭角となる上向き、又は下向きの防草誘導路を形成する他の一例の模式図
【図１−６】防草材の固定部を、構造物等に挾持手段を介して設け、鋭角となる上向き、又は下向きの防草誘導路を形成する他の一例の模式図
【図２−１】防草材の固定部を、ブロックＷに差込み手段を介して設け、鋭角となる上向き、又は下向きの防草誘導路を形成する一例の模式図
【図２−２】防草材の固定部を、ブロックＷに差込み手段を介して設け、鋭角となる上向き、又は下向きの防草誘導路を形成する他の一例の模式図
【図２−３】防草材の固定部を、ブロックＷに差込み手段を介して設け、鋭角となる上向き、又は下向きの防草誘導路を形成する他の一例の模式図
【図２−４】防草材の固定部を、ブロックＷに差込み手段を介して設け、鋭角となる上向き、又は下向きの防草誘導路を形成する他の一例の模式図
【図２−５】防草材の固定部を、ブロックＷに差込み手段を介して設け、鋭角となる上向き、又は下向きの防草誘導路を形成する他の一例の模式図
【図２−６】防草材の固定部を、ブロックＷに差込み手段を介して設け、鋭角となる上向き、又は下向きの防草誘導路を形成する他の一例の模式図
【図３−１】防草材の固定部を、ブロックＷに接着、又は固定手段を介して設け、鋭角となる上向き、又は下向きの防草誘導路を形成する一例の模式図
【図３−２】防草材の固定部を、ブロックＷに接着、又は固定手段を介して設け、鋭角となる上向き、又は下向きの防草誘導路を形成する他の一例の模式図
【図４−１】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の一番目の工程を示した模式図
【図４−２】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の二番目の工程を示した模式図
【図４−３】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の三番目の工程を示した模式図
【図４−４】防草材の固定部を、ブロックＷに、板状、型板等の成形体で構成される鋭角となる上向き、及び／又は、下向きの防草誘導部を備えた壁面と、外周面に充填される接着性の良い手段を介して設け、鋭角となる上向き、又は下向きの防草誘導路を形成する一例の四番目の工程を示した模式図
【図５−１】ブロックＷをモルタル、又は空練り、若しくは半練り等（接着性の良い手段）を介して設け、断面が鋭角形状となる上向き、又は下向きの防草誘導路を形成する一例の模式図
【図５−２】ブロックＷをモルタル、又は空練り、若しくは半練り等（接着性の良い手段）を介して設け、断面が鋭角形状となる上向き、又は下向きの防草誘導路を形成する他の一例の模式図
【図５−３】ブロックＷをモルタル、又は空練り、若しくは半練り等（接着性の良い手段）を介して設け、断面が鋭角形状となる上向き、又は下向きの防草誘導路を形成する他の一例の模式図
【図５−４】ブロックＷをモルタル、又は空練り、若しくは半練り等（接着性の良い手段）を介して設け、断面が鋭角形状となる上向き、又は下向きの防草誘導路を形成する他の一例の模式図
【図５−５】ブロックＷをモルタル、又は空練り、若しくは半練り等（接着性の良い手段）を介して設け、断面が鋭角形状となる上向き、又は下向きの防草誘導路を形成する他の一例の模式図
【図５−６】ブロックＷをモルタル、又は空練り、若しくは半練り等（接着性の良い手段）を介して設け、断面が鋭角形状となる上向き、又は下向きの防草誘導路を形成する他の一例の模式図
【図６−１】舗装又はインターロッキングブロックを利用した鋭角となる上向き、又は下向きの防草誘導路を形成する一例の模式図
【図６−２】舗装又はインターロッキングブロックを利用した鋭角となる上向き、又は下向きの防草誘導路を形成する他の一例の模式図
【図６−３】舗装又はインターロッキングブロックを利用した鋭角となる上向き、又は下向きの防草誘導路を形成する他の一例の模式図
【図７】従来のブロック構造物を示した模式図
【符号の説明】
【００３６】
１            防草材
１００        固定部
１０１ａ      上向きの防草誘導部
１０１ａ−１  上面
１０１ｂ      下向きの防草誘導部
１０２        垂直面
２ａ          上向きの防草誘導路
２ｂ          下向きの防草誘導路
３            砕石（路盤）
５            繰り石（路盤）
６            舗装
７            砂
８            インターロッキングブロック
１０          成形体
１１          路面
１２          空間部位
１３          接着性の良い手段
１６          板材
１７          基礎コンクリート
Ｗ            ブロック
Ｗａ          底側外周面
Ｗｂ          右側外周面
Ｗｃ          左側外周面
Ｗｄ          上側外周面
Ｗｎ          外周面